(57)【要約】【課題】本発明は、タイルカーペットの柄表現に関するもので、どのように施工しても違和感のない意匠性に優れた柄タイルカーペットを得ることを課題とする。【解決手段】  ストライプの入った一枚のタイルカーペットの中に、ストライプの幾つかは、タイルカーペットの縦方向に全長にわたって配置され、また、ストライプの幾つかは、ストライプの視覚的不連続部を少なくとも一箇所形成し、そのストライプの視覚的不連続部で、タイルカーペットの色目が視覚的にかわる柄パターンとすることによって、施工時につなぎ目での違和感がなく、意匠性のあるタイルカーペットが得られることを見出し本発明に到達した。【選択図】        図１
2010259649.tif 000002
【特許請求の範囲】
【請求項１】
タフテッドカーペットを表皮とするタイルカーペットにおいて、実質的に平行で複数のストライプが縦方向に配置され、前記ストライプの幾つかは、タイルカーペットの縦方向に全長にわたって配置され、前記ストライプの幾つかは、タイルカーペットの途中で視覚的に切れ、該視覚的に切れたストライプの横から視覚的に始まる別のストライプが存在してストライプの視覚的不連続部を形成するとともに、前記ストライプの視覚的不連続部で、タイルカーペットの色目が視覚的にかわる柄パターンを有することを特徴とするタイルカーペット。
【請求項２】
タフテッドカーペットを表皮とするタイルカーペットにおいて、実質的に平行で同じ巾の複数のストライプが縦方向に配置され、前記ストライプの幾つかは、タイルカーペットの縦方向に全長にわたって配置され、前記ストライプの幾つかは、タイルカーペットの途中で視覚的に切れ、該視覚的に切れたストライプの横から視覚的に始まる別のストライプが存在してストライプの視覚的不連続部を形成するとともに、前記ストライプの視覚的不連続部で、タイルカーペットの色目が視覚的にかわる柄パターンを有することを特徴とするタイルカーペット。
【請求項３】
前記柄パターンの縦・横方向のリピート長が、タイルカーペットの長さの非整数倍となることを特徴とする請求項１又は２に記載のタイルカーペット。
【発明の詳細な説明】
【技術分野】
【０００１】
本発明は、タイルカーペットの柄パターンに関するもので、特にタイルカーペットを順目に施工しても視覚的につなぎ目の目立たないタイルカーペットを得る技術である。
【背景技術】
【０００２】
タイルカーペットは、３０〜６０ｃｍ角の一定の大きさに裁断され、裏面に印字された方向性を示す矢印に合わせて、床に敷き詰めて接着剤で床と固定しながら施工するのが一般的である。ロールカーペットと比較して取扱いがしやすく、例えば、汚れた場合には、汚れた部分だけを取り外して敷きかえることも可能であり、施工現場への搬入にもエレベーターが利用できることもあり、急速に需要を伸ばしている。
【０００３】
しかしながら、タイルカーペットは、ある巾にバッキング樹脂加工された長尺原反を３０〜６０ｃｍ角に裁断することから、裁断する前の状態と全く同じように正確に並べて施工することは不可能とされ、３０〜６０ｃｍ角に収まらない大きな柄で、裁断後に柄のつなぎ目を合わしながら描くような大柄のタイルカーペットは、特別な場合を除き、大量に生産されることはなかった。生産されるほとんどのタイルカーペットは、無地か小紋柄で、ランダムに配列して施工しても視覚的に違和感の無いよう、つなぎ目の目立たないように注意して施工するものが採用されていた。
【０００４】
最近になって、２色から多色のストライプ（縦縞）のタイルカーペットが生産されるようになり、主に市松施工されるようになってきた。ストライプのタイルカーペットを順目施工すると、上下のつなぎ目にズレが発現し、視覚的に横方向に筋が入ったように見え、左右のつなぎ目でも縦方向に不自然な筋が入り、違和感のあるものであって、市松施工しかされてこなかった。
【０００５】
本発明は、タイルカーペットの柄表現に関するもので、どのように施工しても違和感のない意匠性に優れた柄タイルカーペットを得ることを課題とする。なお、タイルカーペットの施工方法で順目施工とは、タイルカーペットの方向性をしめすために裏面に印刷された矢印の方向を一方向に揃えて施工する方法をいい、大きな一枚のカーペットを敷き詰めたようにみせる施工方法であるが、場合によってはつなぎ目が目立って違和感のある施工方法となることもあった。また、市松施工とは、矢印の方向を上方向と横方向に互い違いに変えて施工する方法で、視覚的に市松柄に見える施工方法である。また、デザイン張りと称して、色や形、大きさの異なるタイルカーペットを組み合わせ、全体に柄を描くようにして施工する方法もある。
【０００６】
特許文献１の方法では、６種類以上のパイル糸をニードル方向に並べたストライプ柄で、そのストライプのレピート間隔をタイル裁断寸法の非整数倍となる０．４倍以上としてタフトし、タイル裁断時に、各タイルカーペットに含まれる糸の７０％以上が共通しているタイルカーペットを開示している。しかしながら、この方法によるタイルカーペットの順目施工では、タイルカーペットの左右のつなぎ目は、違和感なくほとんど解らなくなるものの、天地方向のつなぎ目では、ストライプの不連続部が視覚的に形成され、よく目立ったものとなっていた。
【０００７】
特許文献２の方法では、タイルカーペットのストライプ柄で、ストライプの部分的に、ストライプの位置のずれを強調する不連続部をつくり出す柄とすることにより、天地方向のつなぎ目でおこるストライプの不連続部と混同して見えるようにして、つなぎ目での違和感を解消するストライプ柄のタイルカーペットを開示している。しかしながら、この方法では、ストライプ柄のイメージはぬぐいきれず、意匠性に乏しいものしか得られなかった。
【特許文献１】特開２００３−９６６５４
【特許文献２】特表２００５−５２４００４
【発明の開示】
【発明が解決しようとする課題】
【０００８】
本発明は、かかる技術的背景に鑑みてなされたものであって、どのように施工しても違和感のない意匠性に優れた柄タイルカーペットを得ることを目的とする。
【課題を解決するための手段】
【０００９】
本発明者らは、このような課題を解決するために鋭意検討の結果、ストライプの入った一枚のタイルカーペットの中に、ストライプの視覚的不連続部を少なくとも一箇所形成し、そのストライプの視覚的不連続部で、タイルカーペットの色目が視覚的にかわる柄パターンとすることによって、施工時につなぎ目での違和感がなく、意匠性のあるタイルカーペットが得られることを見出し本発明に到達した。前記目的を達成するために、本発明は以下の手段を提供する。
【００１０】
［１］タフテッドカーペットを表皮とするタイルカーペットにおいて、実質的に平行で複数のストライプが縦方向に配置され、前記ストライプの幾つかは、タイルカーペットの縦方向に全長にわたって配置され、前記ストライプの幾つかは、タイルカーペットの途中で視覚的に切れ、該視覚的に切れたストライプの横から視覚的に始まる別のストライプが存在してストライプの視覚的不連続部を形成するとともに、前記ストライプの視覚的不連続部で、タイルカーペットの色目が視覚的にかわる柄パターンを有することを特徴とするタイルカーペット。
【００１１】
［２］タフテッドカーペットを表皮とするタイルカーペットにおいて、実質的に平行で同じ巾の複数のストライプが縦方向に配置され、前記ストライプの幾つかは、タイルカーペットの縦方向に全長にわたって配置され、前記ストライプの幾つかは、タイルカーペットの途中で視覚的に切れ、該視覚的に切れたストライプの横から視覚的に始まる別のストライプが存在してストライプの視覚的不連続部を形成するとともに、前記ストライプの視覚的不連続部で、タイルカーペットの色目が視覚的にかわる柄パターンを有することを特徴とするタイルカーペット。
【００１２】
［３］前記柄パターンの縦・横方向のリピート長が、タイルカーペットの長さの非整数倍となることを特徴とする前項１又は２に記載のタイルカーペット。
【発明の効果】
【００１３】
［１］の発明では、タフテッドカーペットを表皮とするタイルカーペットにおいて、実質的に平行で複数のストライプが縦方向に配置され、前記ストライプの幾つかは、タイルカーペットの縦方向に全長にわたって配置されるので、タイルカーペットを順目施工した場合に、タイルカーペットの左右のつなぎ目と、タイルカーペットの縦方向に全長にわたって配置されたストライプが混在して違和感のないものとすることができる。また、前記ストライプの幾つかは、タイルカーペットの途中で視覚的に切れ、該視覚的に切れたストライプの横から視覚的に始まる別のストライプが存在しているので、ストライプの視覚的不連続部が発現され、さらに、前記ストライプの視覚的不連続部で、タイルカーペットの色目が視覚的にかわる柄パターンを形成するので、ストライプの視覚的不連続部と色目がかわる柄パターンが重なって、視覚的不連続部が強調され、タイルカーペットの天地方向のつなぎ目と前記視覚的不連続部との違和感がなくなり、単なるストライプの柄に較べて意匠性が増し、外観品位のあるタイルカーペットを得ることができる。
【００１４】
［２］の発明では、タフテッドカーペットを表皮とするタイルカーペットにおいて、実質的に平行で同じ巾の複数のストライプが縦方向に配置され、前記ストライプの幾つかは、タイルカーペットの縦方向に全長にわたって配置されるので、巾が異なり変化するストライプを配置するよりも、視覚的に縦方向が強調されたストライプとすることができ、順目施工した場合に、タイルカーペットの左右のつなぎ目の違和感をなくすことができる。また、前記ストライプの幾つかは、タイルカーペットの途中で視覚的に切れ、該視覚的に切れたストライプの横から視覚的に始まる別のストライプが存在しているので、ストライプの視覚的不連続部が発現され、さらに、前記ストライプの視覚的不連続部で、タイルカーペットの色目が視覚的にかわる柄パターンを形成するので、ストライプの視覚的不連続部と色目がかわる柄パターンが重なって、視覚的不連続部が強調され、タイルカーペットの天地方向のつなぎ目と前記視覚的不連続部との違和感がなくなり、つなぎ目を目立たなくすることができる。
【００１５】
［３］の発明では、前記柄パターンの縦・横方向のリピート長が、タイルカーペットの長さの非整数倍となるので、タイルカーペットに裁断後、同じパターンのタイルカーペットとなる確率は少なく、少しずつ異なるタイルカーペットとすることができるので、施工時に柄による癖の発現しにくいタイルカーペットとすることができる。
【発明を実施するための最良の形態】
【００１６】
本発明のタイルカーペットは、タイルカーペットを順目に施工したとしても視覚的につなぎ目に違和感がなく、意匠性に富んだタイルカーペットを得ることを目的としたもので、ストライプの入った一枚のタイルカーペットの中に、ストライプの視覚的不連続部を少なくとも一箇所形成し、そのストライプの視覚的不連続部で、タイルカーペットの色目が視覚的にかわる柄パターンとすることによって、左右、天地方向のつなぎ目で違和感がなく、意匠性のあるタイルカーペットが得られることを見出し本発明に到達したものである。
【００１７】
本発明を実施例の図面に基づいて説明する。図は、糸の配列と、柄パターンを示すもので、糸は例として白黒の２色としたが、３色以上の多色にしてもかまわない。図において、白の部分は、カーペットとして白色のパイルを高く（ハイパイル）設定した部分で、視覚的に白くみえる部分を示している。また、黒の部分は、カーペットとして黒色のパイルを高く（ハイパイル）設定した部分で、視覚的に黒くみえる部分を示している。図において、グレーの部分は、白色のパイルまたは黒色のパイルを低く（ローパイル）設定した部分で、視覚的にはハイパイルに隠れて見えなかったり、ハイパイルが直ぐ横の列になければ、黒白の縦縞にみえる部分である。また、前記ローパイル部分の黒白の縦縞に見える部分は、パイルが低いことからパイル糸のふくらみ方や光の当たり方がハイパイル部分とは異なってくるので、視覚的には、ハイパイル部分よりやや暗く見える。
【００１８】
図１にしめすように、本発明のタイルカーペットの柄パターンは、実質的に平行で複数のストライプが縦方向に配置され、前記ストライプの幾つかは、タイルカーペットの縦方向に全長にわたって配置され（ａ、ｂ、ｃ、ｄ、ｅ）、前記ストライプの幾つかは、タイルカーペットの途中で視覚的に切れ、該視覚的に切れたストライプの横から視覚的に始まる別のストライプが存在してストライプの視覚的不連続部を形成するとともに、前記ストライプの視覚的不連続部で、タイルカーペットの色目が視覚的にかわる柄パターンを有するものである。（図１参照）本発明を実施例によって、詳しく説明する。
【実施例】
【００１９】
＜実施例１＞
図１において、糸の配列は図の上部に示すように、多くの部分は白（Ｗ）黒（Ｂ）交互に１本おきに配列しているが、ストライプに巾をもたせ、変化に富んだデザインとするために、同じ色の糸を続けて配列している部分もある。例えば、図１において、  （イ）の部分は、三本の黒糸が連続して配列されて、ハイパイルとなり視覚的には黒く見えている。
【００２０】
（ロ）の部分は、前記三本の黒糸のうち中央の黒糸はハイパイルのままで、両サイドの黒糸は、ローパイルとなっていて隣の白糸のハイパイルの糸に隠される。視覚的には（イ）の部分の黒色ストライプが、Ａの部分で細くなったように見える。（視覚的不連続部を形成している。）
【００２１】
（ハ）の部分は、中央の黒糸がハイパイルで、両サイドの白糸がローパイルとなっていて、視覚的には（イ）の部分より細い黒色一本のストライプとなってみえる。
【００２２】
（ニ）の部分は、中央の黒糸が（ハ）の部分につづいてハイパイルで、両サイドの白糸が（ハ）の部分のローパイルからハイパイルとなっていて、白色のハイパイルの間に黒糸がハイパイルとなってみえる。Ａ地点で細い黒色ストライプが、黒を中央にして両サイド白色の太いストライプとなって始まっている。（視覚的不連続部を形成している。）
【００２３】
（ホ）の部分は、白（Ｗ）黒（Ｂ）交互に１本おきに４本配列し、左端の黒糸はハイパイルとなり、次の３本は白、黒、白と配列し、いずれもローパイルとなっている。次に、（ホ）に続く（ヘ）の部分は、Ａ地点で、左端の黒糸がハイパイルからローパイルとなり、左右の白色のハイパイルの間に隠れて見えなくなっている。（ホ）の部分の左端から２本目と４本目の白糸は、Ａ地点でローパイルからハイパイルとなり、左端から３本目の黒糸も、ローパイルからハイパイルとなって、黒を中央にして両サイドの白色の太いストライプとなっている。即ち、１本目の黒糸のストライプがＡ地点で終わり、３本目の黒糸のストライプがＡ地点で始まって視覚的不連続部を形成している。
【００２４】
このように、（イ）と（ロ）、（ハ）と（ニ）、（ホ）と（ヘ）にあるストライプの幾つかは、タイルカーペットの途中で視覚的に切れ、該視覚的に切れたストライプの横から視覚的に始まる別のストライプが存在しているので、ストライプの視覚的不連続部（Ａ）が発現している。また、このストライプの視覚的不連続部（Ａ）でタイルカーペットの色目が黒から白に視覚的にかわる柄パターンを形成している。このような視覚的不連続部（Ａ）を、タイルカーペット上に何箇所か作成しながらデザインしたのが、図１の柄である。
【００２５】
図１の柄でタイルカーペットの原反を作成し、図１の裁断線で裁断し、四つを適当に順目方向に並べて組み合わせて見たのが図２〜図５である。いずれの柄も天地、左右方向のつなぎ目は、柄内部にある視覚的不連続部と各ストライプと色目の変化が混在して目立たなくなっているのがわかる。
【００２６】
＜実施例２＞  
図６は、実質的に平行で同じ巾の複数のストライプが縦方向に配置された柄パターンを示している。糸の配列は図の上部に示すように、白（Ｗ）黒（Ｂ）交互に１本おきに配列している。
【００２７】
実施例１と同様にしてタイルカーペットの原反を作成し、裁断線で裁断し、左上四つを適当に順目方向に並べて見たが、実施例１と同様に、いずれの柄も天地、左右方向のつなぎ目は、柄内部にある視覚的不連続部と各ストライプと色目の変化が混在して違和感のないものとなっていた。
【００２８】
＜実施例３＞  
図７は、同じ巾の複数のストライプ柄を背景に、横方向に、白色に波線をランダムに描き、ストライプの視覚的不連続部のある柄パターンを示している。糸の配列は図の上部に示すように、白（Ｗ）黒（Ｂ）交互に１本おきに配列している。
【００２９】
実施例１と同様にしてタイルカーペットの原反を作成し、裁断線で裁断し、四つを適当に順目方向に並べて見たが、実施例１と同様に、いずれの柄も天地、左右方向のつなぎ目は、柄内部にある視覚的不連続部と各ストライプと色目の変化が混在して違和感のないものとなっていた。
【図面の簡単な説明】
【００３０】
【図１】この発明に係るタイルカーペットの柄パターンで実施例１を示すものである。
【図２】図１の裁断線で裁断し、左下四枚を番号のように順目方向に並べたものである。
【図３】図１の裁断線で裁断し、左下四枚を番号のように順目方向に並べたもので、図２とは別の並べ方を示すものである。
【図４】図１の裁断線で裁断し、左下四枚を番号のように順目方向に並べたもので、図２、図３とは別の並べ方を示すものである。
【図５】図１の裁断線で裁断し、左下四枚を番号のように順目方向に並べたもので、図２〜４とは別の並べ方を示すものである。
【図６】この発明に係るタイルカーペットの柄パターンで実施例２を示すものである。
【図７】この発明に係るタイルカーペットの柄パターンで実施例３を示すものである。
【符号の説明】
【００３１】
Ａ・・・視覚的不連続部
Ｂ・・・黒糸
Ｗ・・・白糸
ａ、ｂ、ｃ、ｄ、ｅ・・・タイルカーペットの縦方向に全長にわたって配置されたストライプ
【図１】
2010259649.tif 000003
【図２】
2010259649.tif 000004
【図３】
2010259649.tif 000005
【図４】
2010259649.tif 000006
【図５】
2010259649.tif 000007
【図６】
2010259649.tif 000008
【図７】
2010259649.tif 000009